(57)【特許請求の範囲】
【請求項１】
パルプモールドよりなるペット用爪とぎトレーであって、
底面部と、
前記底面部の外周縁より立ち上がり、一定の平滑度を有する側壁部とを備え、
前記底面部の内面の少なくとも一部の平滑度は、前記側壁部の内面の平滑度より低い、ペット用爪とぎトレー。
【請求項２】
前記底面部は、設置面に対して平行に布設され、
前記側壁部の上縁よりなる仮想平面は、前記底面部に対して傾斜状態に設定される、請求項１記載のペット用爪とぎトレー。
【請求項３】
前記側壁部は、前記上縁から外方に延びた後、下方に垂下する垂下体を有し、
前記垂下体の下方端よりなる仮想平面は、前記底面部の下面に一致する、請求項２記載のペット用爪とぎトレー。
【請求項４】
前記少なくとも一部は前記底面部の中央部であり、その表面は、複数の凸形状部分の集合体よりなる、請求項１から請求項３のいずれかに記載のペット用爪とぎトレー。
【請求項５】
前記凸形状部分は、底部が正方形の四角錐台形状を有する、請求項４記載のペット用爪とぎトレー。
【発明の詳細な説明】
【技術分野】
【０００１】
この発明はペット用爪とぎトレーに関し、特に使い捨てのペット用爪とぎトレーに関するものである。
【背景技術】
【０００２】
図１５は、従来の猫の爪とぎ器の斜視図である。
【０００３】
図を参照して、猫の爪とぎ器６１は、紙製のケース７１と、ケース７１に収納される、複数枚の段ボール紙を積層接着して形成された積層段ボール７５とからなる。積層段ボール７５の積層断面及び波状の屈曲部は、爪とぎ用の研磨部７６として機能する。尚、積層段ボール７５はケース７１に対し脱着自在であるので、爪とぎにより研磨部７６の機能が衰えてきた場合には、新たな積層段ボール７５に取り替えて再び使用することができる。
積層段ボール７５とケース７１の外板７２ａ及び７２ｂとの間には、外板７２ａ及び７２ｂの各々の上端から積層段ボール７５の下端側に向かって形成された傾斜面を有する紙片収納部７３ａ及び７３ｂが設けられている。この紙片収納部７３ａ及び７３ｂを介して、爪とぎの際に研磨部７６から生じる紙片や、体毛及び皮膚等が、ケース７１の底に落ちる。
【先行技術文献】
【特許文献】
【０００４】
【特許文献１】特開２００３−３３３９５１号公報
【発明の概要】
【発明が解決しようとする課題】
【０００５】
上記のような従来の猫の爪とぎ器では、研磨部と外板の上端との高さがほぼ同一であったため、紙片収納部を設けていてもごみが周囲に飛び散ってしまっていた。
【０００６】
この発明は、上記のような課題を解決するためになされたもので、周囲への飛び散りが抑制されるペット用爪とぎトレーを提供することを目的とする。
【課題を解決するための手段】
【０００７】
上記の目的を達成するために、請求項１記載の発明は、パルプモールドよりなるペット用爪とぎトレーであって、底面部と、底面部の外周縁より立ち上がり、一定の平滑度を有する側壁部とを備え、底面部の内面の少なくとも一部の平滑度は、側壁部の内面の平滑度より低いものである。
【０００８】
このように構成すると、底面部で爪とぎされる。
【０００９】
請求項２記載の発明は、請求項１記載の発明の構成において、底面部は、設置面に対して平行に布設され、側壁部の上縁よりなる仮想平面は、底面部に対して傾斜状態に設定されるものである。
【００１０】
このように構成すると、側壁部の底面部に対する高さが変化する。
【００１１】
請求項３記載の発明は、請求項２記載の発明の構成において、側壁部は、上縁から外方に延びた後、下方に垂下する垂下体を有し、垂下体の下方端よりなる仮想平面は、底面部の下面に一致するものである。
【００１２】
このように構成すると、設置時に底面部は垂下体の下方端に整列する。
【００１３】
請求項４記載の発明は、請求項１から請求項３のいずれかに記載の発明の構成において、少なくとも一部は底面部の中央部であり、その表面は、複数の凸形状部分の集合体よりなるものである。
【００１４】
このように構成すると、所望の平滑度が得られる。
【００１５】
請求項５記載の発明は、請求項４記載の発明の構成において、凸形状部分は、底部が正方形の四角錐台形状を有するものである。
【００１６】
このように構成すると、凸形状部分のエッジが多くなる。
【発明の効果】
【００１７】
以上説明したように、請求項１記載の発明は、底面部で爪とぎされるので、周囲への飛び散りが抑制される。
【００１８】
請求項２記載の発明は、請求項１記載の発明の効果に加えて、側壁部の底面部に対する高さが変化するので、底面部に対するペットの侵入が容易となる。
【００１９】
請求項３記載の発明は、請求項２記載の発明の効果に加えて、設置時に底面部は垂下体の下方端に整列するので、設置状態が安定する。
【００２０】
請求項４記載の発明は、請求項１から請求項３のいずれかに記載の発明の効果に加えて、所望の平滑度が得られるので、製品の品質が安定する。
【００２１】
請求項５記載の発明は、請求項４記載の発明の効果に加えて、凸形状部分のエッジが多くなるので、爪とぎ効率が向上する。
【図面の簡単な説明】
【００２２】
【図１】この発明の第１の実施の形態によるペット用爪とぎトレーの平面図である。
【図２】図１で示したＩＩ−ＩＩラインから見た図である。
【図３】図１で示したＩＩＩ−ＩＩＩラインの断面図である。
【図４】図１で示したＩＶ−ＩＶラインから見た図である。
【図５】図１で示したＶ−Ｖラインの断面図である。
【図６】図１で示した“Ｘ”部分の拡大図である。
【図７】図６で示したＶＩＩ−ＶＩＩラインの端面図である。
【図８】図１に示したペット用爪とぎトレーの製造過程を示す模式図である。
【図９】この発明の第２の実施の形態によるペット用爪とぎトレーの平面図であって、先の第１の実施の形態の図１に対応する図である。
【図１０】図９に示した“Ｙ”部分の拡大図である。
【図１１】図１０に示したＸＩ−ＸＩラインの端面図である。
【図１２】この発明の第３の実施の形態によるペット用爪とぎトレーの平面図であって、先の第１の実施の形態の図１に対応する図である。
【図１３】図１２に示した“Ｚ”部分の拡大図である。
【図１４】図１２に示したＸＩＶ−ＸＩＶラインの端面図である。
【図１５】従来の猫の爪とぎ器の斜視図である。
【発明を実施するための形態】
【００２３】
図１は、この発明の第１の実施の形態によるペット用爪とぎトレーの平面図であり、図２は、図１で示したＩＩ−ＩＩラインから見た図であり、図３は、図１で示したＩＩＩ−ＩＩＩラインの断面図であり、図４は、図１で示したＩＶ−ＩＶラインから見た図であり、図５は、図１で示したＶ−Ｖラインの断面図である。
【００２４】
これらの図を参照して、ペット用爪とぎトレー１は、葦やサトウキビから得られる非木材素材から形成されたパルプモールドをプレス成形したものよりなり、底面部１０と、底面部１０の外周縁の全周より立ち上がる側壁部２０とからなる。
【００２５】
このように構成すると、ペット用爪とぎトレー１は、環境に優しく、かつ、動物が誤って口にしても害の無い素材で形成されたものとなる。又、単一の素材から形成されるため、紙屑としてリサイクルが可能であり、素材を分別せずとも一般ごみとして容易に廃棄でき、衛生的、かつ、便利である。
【００２６】
使用に際しては、ペット用爪とぎトレー１を床に載置する。尚、底面部１０は設置面に対して平行に布設され、側壁部２０は、底面部１０の外周縁より立ち上がる立ち上がり部分２１と、立ち上がり部分２１の上縁から外方に延びる上方部分２２と、上方部分２２の外周縁より下方に垂下する垂下体２３とを有する。尚、垂下体２３は、下方に垂下する垂下部分２４と、垂下部分２４の下縁から外方に延びる下方部分２５とからなり、垂下体２３の下方端よりなる仮想平面は底面部１０の下面に一致する。
【００２７】
このように構成すると、設置時に底面部１０は垂下体２３の下方端と整列するので、ペット用爪とぎトレー１の設置状態が安定する。
【００２８】
又、側壁部２０の上縁よりなる仮想平面は、底面部１０に対して傾斜状態に設定されている。
【００２９】
このように構成すると、側壁部２０の底面部１０に対する高さが変化するため、底面部１０に対するペットの侵入が容易となる。
【００３０】
側壁部２０は一定の平滑度を有しており、底面部１０の内面の中央部には、複数の凸形状部分の集合体よりなり、側壁部２０の内面の平滑度より平滑度が低くなる爪とぎ部分１１が形成されている。尚、凸形状部分の形状については後述する。
【００３１】
このように構成すると、底面部１０で爪とぎされ周囲はそれより高い側壁部２０で囲まれているので、紙片等の周囲への飛び散りが抑制される。又、爪とぎ部分１１においてプレス成形により所望の平滑度が得られるので、製品の品質が安定する。
【００３２】
図６は、図１で示した“Ｘ”部分の拡大図であり、図７は、図６で示したＶＩＩ−ＶＩＩラインの端面図である。
【００３３】
これらの図を参照して、凸形状部分１２は、底部が正方形の四角錐台形状を有する。尚、凸形状部分１２の寸法については図７を参照して、全体の厚みａは１．０ｍｍに、表面の山の高さｂは３．０ｍｍに、裏面の谷の深さｃは２．５５ｍｍに、表面の山の頂点同士の距離ｄ及び表面の谷の中心点同士の距離ｅは６．０ｍｍに、裏面の谷の頂点同士の距離ｆは４．２５１ｍｍに、それぞれ設定されている。
【００３４】
このように構成すると、凸形状部分１２のエッジが多くなるので、爪とぎ効率が向上する。
【００３５】
図８は、図１に示したペット用爪とぎトレーの製造過程を示す模式図である。
【００３６】
まず、図８の（１）を参照して、アルミニウムや真鍮から機械加工又は鋳造により製造された金型３１であってその端部が上方に延びる枠３２で覆われているものの表面に、金型３１の表面と略同寸法のステンレス製や鉄製、真鍮製の網型４１を装着した状態で、水と葦やサトウキビから得られる非木材素材とを攪拌したものからなる懸濁液４２を金型３１に流し込む。
【００３７】
次に、図８の（２）を参照して、金型３１に形成されている図示しない排水穴から水を排出し、均一の厚みのパルプ４３を網型４１で抄き上げる。
【００３８】
次に、図８の（３）を参照して、金型３１からパルプ４３を網型４１ごと取り外す。
【００３９】
次に、図８の（４）を参照して、凹形状の第１プレス金型５１と、第１プレス金型５１に対向する凸形状の第２プレス金型５３との間に、パルプ４３を網型４１ごと配置する。尚、第１プレス金型５１及び第２プレス金型５３は、自らを加熱することができるとともに、第１プレス金型５１と第２プレス金型５３とを重ね合わせることにより圧力をかけてプレスすることができる。又、第１プレス金型５１の中央部には底部が正方形の四角錐台形状の凹凸５２が、第２プレス金型５３の中央部には凹凸５４が、第１プレス金型５１と第２プレス金型５３とを重ね合わせた時に互いに嵌り合うように形成されている。
【００４０】
次に、図８の（５）を参照して、加熱した第１プレス金型５１及び第２プレス金型５３により、パルプ４３を網型４１ごと加熱プレスする。尚、第１プレス金型５１及び第２プレス金型５３は、パルプ４３及び網型４１が凹凸５２及び凹凸５４に沿いやすくするために、１５０℃程度の比較的低温に加熱する。又、第１プレス金型５１の凹凸５２と第２プレス金型５３の凹凸５４とのクリアランスは、パルプ４３の目付に応じて０．６ｍｍ〜１．０ｍｍに設定する。プレス圧力及びプレス時間は、成形後のパルプ４３の平均厚みが１．０ｍｍになるように適宜設定する。
【００４１】
次に、図８の（６）を参照して、所定のプレス時間の経過後、第１プレス金型５１と第２プレス金型５３とのプレス状態を解除して、パルプ４３を網型４１ごと取り出す。
【００４２】
そして最後に、図８の（７）を参照して、網型４１を分離して、網型４１からパルプモールド成形物であるペット用爪とぎトレー１を取り出し、ペット用爪とぎトレー１の製造過程を終了する。
【００４３】
図９は、この発明の第２の実施の形態によるペット用爪とぎトレーの平面図であって、先の第１の実施の形態の図１に対応する図であり、図１０は、図９に示した“Ｙ”部分の拡大図であり、図１１は、図１０に示したＸＩ−ＸＩラインの端面図である。
【００４４】
まず、図９を参照して、第１の実施の形態によるペット用爪とぎトレー１の爪とぎ部分１１の凸形状部分１２が、四角錐台形状のものから格子形状のものに置き換わっている。尚、他のペット用爪とぎトレー１の構成要素は第１の実施の形態によるものと同一であるため、ここでの説明は繰り返さない。
【００４５】
次に、図１０及び図１１を参照して、凸形状の幅ｇは０．７ｍｍに、平行する凸形状同士の間隔ｈは２．０ｍｍに、凸形状の高さｉは０．１ｍｍに、全体の厚みｊは１．０ｍｍに、それぞれ設定されている。
【００４６】
図１２は、この発明の第３の実施の形態によるペット用爪とぎトレーの平面図であって、先の第１の実施の形態の図１に対応する図であり、図１３は、図１２に示した“Ｚ”部分の拡大図であり、図１４は、図１２に示したＸＩＶ−ＸＩＶラインの端面図である。
【００４７】
まず、図１２を参照して、第１の実施の形態によるペット用爪とぎトレー１１の爪とぎ部分１１の凸形状部分１２が、四角錐台形状のものから角丸長方形形状のものに置き換わっている。尚、他のペット用爪とぎトレー１１の構成要素は第１の実施の形態によるものと同一であるため、ここでの説明は繰り返さない。
【００４８】
次に、図１３及び図１４を参照して、凸形状の長い方の幅ｋは１５．０ｍｍに、凸形状の短い方の幅ｌは２．５ｍｍに、凸形状同士の間隔ｍは１．０ｍｍに、凸形状の高さｎは２．０ｍｍに、それぞれ設定されている。
【００４９】
尚、上記の各実施の形態では、ペット用爪とぎトレーは葦やサトウキビから得られる非木材素材から形成されたものであったが、パルプモールドであれば、原料は他のものであっても良い。
【００５０】
又、上記の各実施の形態では、爪とぎ部分は底面部の中央部としていたが、底面部の少なくとも一部であれば良い。
【００５１】
更に、上記の各実施の形態では、凸形状が四角錐台形状、格子形状又は角丸長方形形状のものであったが、爪とぎ部分の平滑度が側壁部の内面の平滑度より低いものになれば、他の形状であっても良い。
【００５２】
更に、上記の各実施の形態では、凸形状の寸法が特定寸法に設定されていたが、爪とぎ部分の平滑度が側壁部の内面の平滑度より低いものになれば、他の寸法に設定されていても良く、全体の厚みがより厚く設定されれば、ペット用爪とぎトレーの耐久力が高まり、なお良い。
【００５３】
更に、上記の各実施の形態では、側壁部が底面部の外周縁の全周より立ち上がるものであったが、底面部の外周縁の一部において側壁部が立ち上がっていないものであっても良い。
【００５４】
更に、上記の各実施の形態では、側壁部の高さが底面部に対して変化するものであったが、高さが変化しないものであっても良い。
【００５５】
更に、上記の各実施の形態では、垂下体の下方端と底面部とが整列するものであったが、これらが整列せず、底面部が設置面に対して浮いた状態になるものであっても良い。
【００５６】
更に、上記の各実施の形態では、側壁部は立ち上がり部分、上方部分及び垂下部分と下方部分とからなる垂下体からなるものであったが、垂下体において下方部分は無くても良く、又、側壁部は単に立ち上がり部分のみからなるものであっても良い。
【００５７】
更に、上記の各実施の形態では、ペット用爪とぎトレーは、単体で使用するものであったが、マタタビの粉を振りかけて使用するものであっても良い。
【００５８】
更に、上記の各実施の形態では、第１プレス金型及び第２プレス金型は１５０℃に加熱されていたが、他の温度に加熱されていても良い。
【００５９】
更に、上記の各実施の形態では、第１プレス金型の凹凸と第２プレス金型の凹凸とのクリアランスは特定範囲において設定するとされていたが、この範囲に含まれない寸法に設定されても良い。
【００６０】
更に、上記の各実施の形態では、爪とぎ部分は複数の凸形状部分の集合体のみからなるものであったが、動物が本能的に爪をとぎたくなるものの表面形状を樹脂等で型取りし、その形状を爪とぎ部分に転写して、爪とぎ部分をよりリアルなものにしても良い。
【符号の説明】
【００６１】
１…ペット用爪とぎトレー
１０…底面部
１１…爪とぎ部分
１２…凸形状部分
２０…側壁部
２１…立ち上がり部分
２２…上方部分
２３…垂下体
２４…垂下部分
２５…下方部分
尚、各図中同一符号は同一又は相当部分を示す。
【図１】
0005586491.tif 000002
【図２】
0005586491.tif 000003
【図３】
0005586491.tif 000004
【図４】
0005586491.tif 000005
【図５】
0005586491.tif 000006
【図６】
0005586491.tif 000007
【図７】
0005586491.tif 000008
【図８】
0005586491.tif 000009
【図９】
0005586491.tif 000010
【図１０】
0005586491.tif 000011
【図１１】
0005586491.tif 000012
【図１２】
0005586491.tif 000013
【図１３】
0005586491.tif 000014
【図１４】
0005586491.tif 000015
【図１５】
0005586491.tif 000016